(57)【要約】【課題】  インターネット広告と実際の店舗での購入との関係を把握する為のシステムの提供を目的とする。【解決手段】  本広告閲覧情報収集システムは、１以上のユーザ端末と1以上の情報収集装置からなり、前記ユーザ端末は、インターネットを介してユーザ端末に表示された広告の閲覧履歴を含む広告閲覧情報を記憶しておき、前記情報収集装置は、前記広告に関連する場所で、前記ユーザ端末が記憶している広告閲覧情報を取得し、各広告閲覧情報を収集することを特徴とする。【選択図】図３
2007164615.tif 000002
【特許請求の範囲】
【請求項１】
１以上のユーザ端末と1以上の情報受信装置からなる広告閲覧情報収集システムであって、
前記ユーザ端末は、ネットワークを介してユーザ端末に表示された広告の閲覧履歴を含む広告閲覧情報を記憶する情報記憶手段を備え、
前記情報受信装置は、
当該装置が設置されている前記広告に関連する場所で、前記情報記憶手段で記憶された広告閲覧情報を取得する情報取得手段と、
前記情報取得手段で取得された各広告閲覧情報を対象として所定の処理を行う情報処理手段と
を備えることを特徴とする広告閲覧情報収集システム。
【請求項２】
前記ユーザ端末は、更に、前記情報記憶手段に記憶されている広告閲覧情報を近距離無線によって送信する手段を備え、
前記情報受信装置の情報取得手段は、前記送信された広告閲覧情報を近距離無線通信によって受信する
ことを特徴とする請求項１に記載の広告閲覧情報収集システム。
【請求項３】
ネットワークを介して広告を受信して表示するユーザ端末であって、
表示された広告に対するユーザの閲覧履歴を含む広告閲覧情報を記憶する情報記憶手段と、
前記広告に掲載されている場所に所在している際に、前記情報記憶手段で記憶した広告閲覧情報を出力する情報出力手段と
を備えることを特徴とするユーザ端末。
【請求項４】
前記情報受信装置は、更に、前記情報取得手段で取得された各広告閲覧情報を自装置の外部に送信する送信手段を備え、
前記情報処理手段が行う所定の処理は、前記送信手段で取得された各広告閲覧情報を送信する
ことを特徴とする請求項１に記載の広告閲覧情報収集システム。
【請求項５】
前記広告閲覧情報は、当該広告を閲覧した地点を含む情報である
ことを特徴とする請求項１に記載の広告閲覧情報収集システム。
【請求項６】
前記情報処理手段が行う所定の処理は、取得した各広告閲覧情報を集計する処理である
ことを特徴とする請求項１に記載の広告閲覧情報収集システム。
【請求項７】
前記情報受信装置が設置されている前記広告に関連する場所とは、当該広告に記載されている場所である
ことを特徴とする請求項１に記載の広告閲覧情報収集システム。
【請求項８】
前記情報受信装置は、更に、所定距離内に存在するユーザ端末に送信要求を送信する手段を備え、
前記ユーザ端末は、更に、前記送信要求を受信したときに、記憶している広告閲覧情報を送信する手段を備える
ことを特徴とする請求項１に記載の広告閲覧情報収集システム。
【発明の詳細な説明】
【技術分野】
【０００１】
本発明は、インターネットを利用した広告情報提供サービスに関し、特に広告の効果を測定する技術に関する。
【背景技術】
【０００２】
現在、インターネットを用いて、商品情報の提供や商品販売店、飲食店などの店舗情報の提供など、いわゆるインターネット広告がなされている。
インターネット広告には、検索サイトを通じて広告を行う方法がある。
検索サイトで、ユーザはキーワードを入力するが、この入力した検索キーワードに関連する商品やサービスの広告を、検索結果とともに所定のフォーマットで表示する方法である。
【０００３】
これは、検索サイトを利用するユーザは何らかの情報を探しており、ユーザの入力する検索キーワードにはユーザのニーズが含まれていると考えられることから、ユーザのニーズを検索キーワードから汲み取って、適切な広告を表示し、ユーザに商品やサービスの購入を行うよう働きかけるものである。
これらの検索結果とともに表示された広告をユーザがクリックした場合や、広告商品をネット販売を通じて購入した場合には、広告主から広告掲載者に対して所定の広告料が支払われる。
【０００４】
従って、広告主にとっては、広告がユーザの商品購入に繋がったのか、広告掲載者に支払った広告料が商品の売り上げに見合ったものなのか等が関心事となり、広告掲載者にとっては、ユーザが広告をクリックした回数やネット販売で購入した商品の数等が関心事となる。
そこで、広告掲載者と広告主とユーザとの３者をインターネットで結ぶことにより、表示した広告を見たユーザの広告商品等のインターネットを通じた購入履歴、行動履歴を把握する技術が開発されている（特許文献１参照）。
【０００５】
これにより、広告主、広告掲載者ともに、ユーザのインターネットを通じた行動履歴や購入履歴等を把握することが容易になっている。
【特許文献１】特開２００３−１４１４１０号公報
【発明の開示】
【発明が解決しようとする課題】
【０００６】
しかし、ユーザが広告商品等を購入するのはインターネットを通じてばかりではない。すなわち、広告商品の実物を見たい、データ流出の可能性を危惧してクレジットカードの番号を入力するのがはばかられる等の理由から、実際の店舗に足を運んで購入する場合が多々ある。
この場合、広告主は、広告を見たことが起因となって店舗に足を運んだのかは、把握し難い。
【０００７】
また、飲食店等でサービスを購入する場合など、例えば、有名シェフが料理長を務める店であることをインターネット広告で見て来店する場合などは、インターネット広告を見て来店したのか、また、いつ見たのか等は、把握し難い。
そこで、本発明は、インターネット広告と実際の店舗での購入との関係を把握する為のシステムの提供を目的とする。
【課題を解決するための手段】
【０００８】
上記課題を解決する為に、本発明の広告閲覧情報収集システムは、１以上のユーザ端末と1以上の情報受信装置からなる広告閲覧情報収集システムであって、前記ユーザ端末は、ネットワークを介してユーザ端末に表示された広告の閲覧履歴を含む広告閲覧情報を記憶する情報記憶手段を備え、前記情報受信装置は、当該装置が設置されている前記広告に関連する場所で、前記情報記憶手段で記憶された広告閲覧情報を取得する情報取得手段と、前記情報取得手段で取得された各広告閲覧情報を対象として所定の処理を行う情報処理手段とを備えることを特徴とする。
【発明の効果】
【０００９】
本発明に係る広告閲覧情報収集システムは、上述の構成を備えることにより、インターネットで広告を見たなどという閲覧情報を実際に広告商品等を購入した店舗で収集等でき、インターネット広告と実店舗での購入情報とを関連付けることができるので、インターネット広告の効果をより確実に調査することができるようになる。
すなわち、インターネット広告を見たユーザが、実際に、広告を見たことによって購入行動に至ったと推定できる情報、例えば、実際に見た広告サイトの識別情報などを集めることができるので、この情報を集計等することで、ユーザの実店舗での商品等の購入に対するインターネット広告の効果を測定することができるようになる。
【００１０】
また、インターネット販売などにおいては、アンケート等のサンプリング調査による場合と比べて、広告の費用対効果を、より容易に且つより正確に測定することができるが、対象となる商品はインターネット販売で扱うことができる商品に限られてしまう。その点、本発明では、インターネット販売に限定されることなく、実店舗での購入や、インターネット販売で扱うことができない役務の購入などに関しても、その広告の費用対効果を測定することができるようになるという大きな利点がある。
【００１１】
また、前記ユーザ端末は、更に、前記情報記憶手段に記憶されている広告閲覧情報を近距離無線によって送信する手段を備え、前記情報受信装置の情報取得手段は、前記送信された広告閲覧情報を近距離無線通信によって受信することとしてもよい。
これにより、無線により広告閲覧情報を送受信することができるので、ユーザ端末から広告閲覧情報を手軽に且つ容易に取得することができるようになる。
【００１２】
また、本発明にかかるユーザ端末は、ネットワークを介して広告を受信して表示するユーザ端末であって、表示された広告に対するユーザの閲覧履歴を含む広告閲覧情報を記憶する情報記憶手段と、前記広告に掲載されている場所に所在している際に、前記情報記憶手段で記憶した広告閲覧情報を出力する情報出力手段とを備えることを特徴とする。
ユーザ端末がこの構成を備えることにより、本システムを容易に作成することができるようになる。
【００１３】
また、前記情報受信装置は、更に、前記情報取得手段で取得された各広告閲覧情報を自装置の外部に送信する送信手段を備え、前記情報処理手段が行う所定の処理は、前記送信手段で取得された各広告閲覧情報を送信することとしてもよい。
これにより、広告閲覧情報を外部の装置に送信することができるので、情報受信装置の記憶容量は最小限でよく、安価で小型の装置とすることができるようになる。
【００１４】
また、前記広告閲覧情報は、当該広告を閲覧した地点を含む情報であることとしてもよい。
これにより、広告を閲覧した地点の情報が収集できるので、より効果のある地域に広告を行うことができるようになる。
また、前記情報処理手段が行う所定の処理は、取得した各広告閲覧情報を集計する処理であることとしてもよい。
【００１５】
これにより、集められた広告閲覧情報をまとめて処理を行うことができるので、より効果的な広告を行う方法を知ることができるようになる。
また、前記情報受信装置が設置されている前記広告に関連する場所とは、当該広告に記載されている場所であることとしてもよい。
これにより、広告に掲載されている場所でのみ広告閲覧情報を取得するので、広告を見て来た情報をより正確に収集することができるようになる。
【００１６】
また、前記情報受信装置は、更に、所定距離内に存在するユーザ端末に送信要求を送信する手段を備え、前記ユーザ端末は、更に、前記送信要求を受信したときに、記憶している広告閲覧情報を送信する手段を備えることとしてもよい。
これにより、ユーザ端末と情報受信端末との通信が確立し、データ送受信を行うことができるので、正確に広告閲覧情報を受信することができるようになる。
【発明を実施するための最良の形態】
【００１７】
＜実施形態＞
＜概要＞
本発明に係る広告閲覧情報収集システムは、インターネット広告を閲覧することで広告商品等の購入に至ったユーザから、その広告の閲覧に関する情報である広告閲覧情報を集めるシステムである。
【００１８】
広告閲覧情報の閲覧履歴とは、広告の表示に際してのユーザ操作に起因して得られる情報であって、例えば、ユーザ操作を行った時間、場所などをいい、広告閲覧情報はその他、ユーザのプロファイルなどを含むこととしてもよい。
以下、ユーザが携帯電話機でインターネット広告を閲覧し、閲覧した飲食店に行って、サービスを購入するケースを例に取り、本システムを説明する。
【００１９】
尚、ユーザから広告閲覧に関する情報をもらうには、何らかのインセンティブを与えると有効な場合があると考えられることから、本実施形態では割引クーポンの利用と引き換えに、情報をもらうこととする。
＜構成＞
まず、本発明の実施形態に係る広告閲覧情報収集システムの構成例について図１および図２を用いて説明する。
【００２０】
図１は、広告閲覧情報収集システムの構成例を表す図である。
図１（ａ）は、インターネット広告がユーザにより閲覧されている様子を示した図であり、図１（ｂ）は、店舗が収集した広告閲覧情報の流れを示した概略図である。
図２は、ユーザが閲覧するインターネット広告の例を示す図である。
まず、ユーザ１０が携帯電話機１０００で、インターネット４０に接続し、広告掲載者３０が掲載する飲食店「○×屋」２０の広告画面９１００を閲覧する（図１（ａ）参照）。
【００２１】
閲覧の例を図２を用いて簡単に説明する。
検索サイトで検索キーワード「梅田  夕食」と入れたとする。
この場合の検索結果を表示する検索結果画面９０００には、検索結果９０２０と広告枠９０１０とが表示される。ここで、広告枠９０１０とは、広告掲載者が検索キーワードに応じた広告を表示する領域である。
【００２２】
例えば、広告枠９０１０には、「○×屋」と「梅田タワー」の各広告画面へのリンクと案内文などが表示される。
ここで、ユーザが「○×屋」のリンクをクリックすると、○×屋の広告画面９１００が表示される。これで、この広告を閲覧したことが広告閲覧情報として、携帯電話機１０００に記録される。
【００２３】
ユーザが、広告を閲覧後、実際に「○×屋」２０の実店舗に行って飲食して、料金を払う際に、携帯電話機１０００に記録されている広告閲覧情報１９１０を「○×屋」２０に渡す（図１（ｂ）参照）。
渡された広告閲覧情報１９１０は、「○×屋」２０のデータベース２９００に記憶され、受取った広告閲覧情報１９１０と来店情報２９１０とは、広告掲載者３０に送信され、データベース３９００に保存される（図１（ｂ）参照）。
【００２４】
「○×屋」２０のデータベース２９００には、広告を見て来店したユーザの情報が蓄積され、広告掲載者３０のデータベース３９００には、「○×屋」２０のような広告主の店舗に来店したユーザの情報と、各広告主の店舗への来店情報とが蓄積される。
広告主と広告掲載者は、それぞれのデータベースに蓄積された情報を分析し、次の広告の仕方などに反映させていくことになる。
【００２５】
すなわち、本システムは、情報を収集するシステムではあるが、単に情報を収集するだけでなく、収集した情報を基により効果のあると思われる広告を行い、更に、その広告の閲覧情報を収集して、というように、より効果の高い広告を行う方法を導き出す為の情報を収集する手段を提供している。
次に、図３は、本発明に係る携帯電話機１０００、情報受信装置２０００および情報収集装置３０００の各構成を示す機能ブロック図である。
【００２６】
携帯電話機１０００は、ユーザが携帯し、インターネット広告を閲覧する携帯電話機であり、情報受信装置２０００は広告主の実店舗に置いてある装置であり、情報収集装置３０００は、広告主が広告の掲載を依頼した広告掲載者が有している装置である。
まず、携帯電話機１０００は、制御部１１００、送受信部１２００、外部音声を入力するマイク１３００、音声信号を出力するスピーカ１４００、自機の位置を測定するＧＰＳ（Global Positioning System）１５００、操作部１６００、表示部１７００、無線通信部１８００および広告閲覧情報記憶部１９００から構成される。
【００２７】
制御部１１００は、図示しないＣＰＵ、メモリ等を備え、通信制御等、携帯電話機に必要な一般的な制御処理を行う他、本発明に特有の制御処理を行う。
送受信部１２００は、変復調回路や信号処理回路等を含み、基地局を介してインターネット４０に繋がる機能を有する。
操作部１６００は、キー、ボタン等を含み、ボタンの押下等のユーザ操作を検出し制御部１１００に通知する機能を有する。
【００２８】
表示部１７００は、液晶等のディスプレイを含み、制御部１１００の指示により、当該ディスプレイにメニュー等の他、インターネットの検索サイトや広告ページ等を表示する機能を有する。
無線通信部１８００は、Bluetooth（登録商標、以下同様）等の無線通信技術により情報受信装置２０００と通信する機能を有する。本実施形態では、無線通信部１８００はアンテナとＩＣチップで構成され、いわゆる非接触式ＩＣチップであるとする。
【００２９】
広告閲覧情報記憶部１９００は、広告を閲覧した履歴や時間等の広告閲覧情報１９１０を記憶する機能を有する。この情報は、＜データ＞で説明する。
次に、情報受信装置２０００は、制御部２１００、送受信部２２００、顧客情報入力部２３００、無線通信部２４００および来店情報記憶部２９００から構成される。
まず、制御部２１００は、図示しないＣＰＵ、メモリ等を備え、携帯電話機１０００から情報の受信を制御するなど、本発明に特有の制御処理を行う。
【００３０】
送受信部２２００は、変復調回路や信号処理回路等を含み、インターネット４０に接続し、データを送受信する機能を有する。
顧客情報入力部２３００は、来店した顧客に関する情報を入力する機能を有する。本実施形態では、○×屋での飲食代を入力するテンキーやＰＯＳ（Point Of Sale）端末等とする。
【００３１】
この顧客情報入力部２３００は、収集したい顧客情報に応じた入力装置となり、本実施形態では、後述する来店情報２９１０の各情報を入力できるものとする。
無線通信部２４００は、Bluetooth等の無線通信技術により、携帯電話機１０００と通信する機能を有する。本実施形態では、携帯電話機１０００の非接触式ＩＣチップに電力を供給し、データをやり取りするいわゆるリーダ／ライタであるとする。
【００３２】
来店情報記憶部２９００は、来店した顧客から得た広告閲覧情報１９１０と来店情報２９１０とを記憶する機能を有する。これらの情報は、＜データ＞で説明する。
次に、情報収集装置３０００は、制御部３１００、送受信部３２００および閲覧情報記憶部３９００から構成される。
まず、制御部３１００は、図示しないＣＰＵ、メモリ等を備え、各店舗の情報受信装置２０００から情報を受信するなど、本発明に特有の制御処理を行う。
【００３３】
送受信部３２００は、変復調回路や信号処理回路等を含み、インターネット４０に接続し、データを送受信する機能を有する。
閲覧情報記憶部３９００は、各店舗の情報受信装置２０００から送られてくる広告閲覧情報や来店情報などを記憶しておく機能を有する。具体的には、各広告主の店舗にある情報受信装置２０００から送られてくる広告閲覧情報１９１０と来店情報２９１０を記憶している他、店舗情報３９１０と解析情報３９２０も記憶している。これらの情報は、＜データ＞で説明する。
【００３４】
ここで、制御部１１００等の各部による各処理の全部または一部は、それぞれの装置のＣＰＵが各種プログラムを実行することにより実現されるものである。
＜データ＞
以下、本発明である広告閲覧情報収集システムが用いる主なデータについて、図４〜図６を用いて説明する。
【００３５】
図４は、広告閲覧情報１９１０の内容例を示す図である。
この広告閲覧情報１９１０は、携帯電話機１０００の広告閲覧情報記憶部１９００に記憶される。この情報は、基本的に、ユーザが広告を閲覧する度に作成される。従って、広告閲覧情報記憶部１９００には、複数のＵＲＬの閲覧情報が記憶されている。
広告閲覧情報１９１０は、店舗コード１９１１、店舗ＵＲＬ１９１２、閲覧回数１９１３、閲覧時刻１９１４、閲覧位置１９１５で構成される。
【００３６】
まず、店舗コード１９１１は、閲覧した広告に載っている店舗の識別子である。
また、店舗ＵＲＬ１９１２は、閲覧したページのＵＲＬである。１つの店舗コードに対して、複数の店舗ＵＲＬが存在してもよい。
閲覧回数１９１３は、この店舗ＵＲＬ１９１２を閲覧した回数であり、ユーザが同じＵＲＬのページを再度閲覧した場合には、広告閲覧情報１９１０が作成されるのではなく、この閲覧回数１９１３がカウントアップされる。
【００３７】
閲覧時刻１９１４は、店舗ＵＲＬ１９１２を最後に閲覧した日時であり、携帯電話機１０００に搭載されている時計から得た日時を用いる。
閲覧位置１９１５は、店舗ＵＲＬ１９１２を最後に閲覧した場所であり、携帯電話機１０００のＧＰＳ１５００で測定した緯度経度を用いる。
次に、図５は、来店情報２９１０の内容例を示す図である。
【００３８】
この来店情報２９１０は、情報受信装置２０００の来店情報記憶部２９００に記憶されている。この情報は、ユーザが飲食代を支払う際に、携帯電話機１０００から受信する広告閲覧情報１９１０と対となって作成される。従って、来店情報記憶部２９００には、複数の来店したユーザから受信した広告閲覧情報１９１０と来店情報２９１０とが記録されている。
【００３９】
来店情報２９１０は、店舗コード２９１１、店舗名２９１２、店舗位置２９１３、来店時刻２９１４、購入情報２９１５で構成される。
まず、店舗コード２９１１は、自店舗の識別子である。このコードは、広告掲載者に広告を依頼したときに、割り振られるものである。
店舗名１９１２は、自店舗の名称である。
【００４０】
また、店舗位置２９１３は、自店舗の所在であり、緯度経度で記録されている。
来店時刻２９１４は、実際に来店した日時である。
購入情報２９１５は、飲食代である。
図６（ａ）は、店舗情報３９１０の内容例を示す図であり、図６（ｂ）は、解析情報３９２０の内容例を示す図である。
【００４１】
これらの店舗情報３９１０と解析情報３９２０とは、閲覧情報記憶部３９００に記憶されている。尚、閲覧情報記憶部３９００には、これらの他に、各情報受信装置から受信した広告閲覧情報１９１０と来店情報２９１０も記憶されている。
店舗情報３９１０は、店舗ＵＲＬ３９１１と店舗コード３９１２とで構成される。広告掲載者は、この店舗情報でＵＲＬと店舗を対応付けて管理している。
【００４２】
店舗ＵＲＬ３９１１は、広告ページのＵＲＬであり、店舗コード３９１２は、店舗の識別子である。
広告掲載者は、ＵＲＬの中にどの店舗の広告であるのかを示す情報として、この店舗情報を埋め込んでおく。ＵＲＬを表示した携帯電話機１０００は、広告閲覧情報１９１０を作成する際に、この埋め込まれている店舗コード３９１２を用いる。
【００４３】
次に、解析情報３９２０は、店舗コード３９２１、閲覧時間帯３９２２、閲覧エリア３９２３、閲覧回数３９２４とで構成される。
店舗コード３９２１は、店舗の識別子である。
閲覧時間帯３９２２は、店舗コード３９２１で示される店舗の広告を、ユーザが閲覧した時間帯を示す。もっとも多く閲覧された時間帯である。
【００４４】
閲覧エリア３９２３は、来店したユーザが広告を閲覧した場所が含まれるエリアを表す。このエリアで広告を閲覧したユーザが、来店したユーザのなかで最も多いエリアである。
閲覧回数３９２４は、来店したユーザが広告を閲覧した回数を表す。
この解析情報３９２０は、広告掲載者が、各店舗から集めた広告閲覧情報１９１０と来店情報２９１０とから抽出した結果である。
【００４５】
この例では、来店したユーザが最も多く閲覧した時間帯とエリアがわかるので、このエリアの携帯電話機にこの時間帯に集中して広告を表示すれば、より広告の効果が上がることが予想される。
＜動作＞
以下、上述した広告閲覧情報収集システムの動作について図７を用いて説明する。
【００４６】
図７は、携帯電話機で広告を見て店舗に来たユーザの広告閲覧情報が、店舗と広告掲載者に渡るまでの動作を表したフローチャートである。
尚、説明の便宜上、人間の動作を点線の矩形で記載している。
まず最初に、店舗２０のインターネット広告を出したいと思っている広告主は、広告掲載者３０に広告依頼の契約を結ぶ（ステップＳ２００）。
【００４７】
広告の依頼を受けた広告掲載者３０の情報収集装置３０００は、店舗に店舗コード３９１２を割り振り、店舗コード３９１２と広告の店舗ＵＲＬ３９１１とを対応付けた店舗情報３９１０（図６（ａ）参照）を作成し、広告のリンクが特定の検索キーワードに対応して広告枠に表示されるよう初期処理を行う（ステップＳ３００）。
店舗の広告ページのデータには、店舗コードを、例えばコメントとして埋め込んでおくものとする。この場所は、携帯電話機１０００でも知っているものとする。広告閲覧情報を作成する際に必要だからである。
【００４８】
これで、店舗２０の広告は、ユーザが見ることが出来るようになる。
ユーザは、携帯電話機１０００を操作し、インターネット接続のキーを押下する。該当キーの押下を受け付けた操作部１６００は、その旨を制御部１１００に通知し、通知を受けた制御部１１００は送受信部１２００を介してインターネット４０に接続する。
インターネット４０と携帯電話機１０００とのやり取りは、ユーザの指示を受け付けた操作部１６００が、その旨を制御部１１００に渡し、制御部１１００が送受信部１２００を介してページデータを受取り、表示部１７００に表示依頼をすることで行う。
【００４９】
インターネットに接続されたら、ユーザは、検索サイトで検索キーワード「梅田  夕食」と入力し検索キーを押下する。検索結果（図２：画面９０００参照）が表示部１７００に表示されたら、広告枠９０１０の「○×屋」のリンクにカーソルを移動して選択する。
表示部１７００は、「○×屋」の広告ページを表示する（ステップＳ１００）。
この際、表示部１７００に広告ページを依頼した制御部１１００は、この広告の広告閲覧情報１９１０を作成し、広告閲覧情報記憶部１９００に記憶する。
【００５０】
具体的には、制御部１１００は、広告ページデータ内に埋め込まれている店舗コードを取出し、店舗コード１９１１に「０１００」、店舗ＵＲＬ１９１２に広告ページのＵＲＬ「http://www.ox-ya.co.jp」、閲覧回数に「１」、内蔵するタイマから日時を取得して閲覧時刻１９１４に「2005/11/25  19:00」、ＧＰＳ１５００から現在位置を取得し閲覧位置１９１５に「34.41 135.29」を設定し、広告閲覧情報１９１０を作成する。この際、同じ店舗ＵＲＬ１９１２のデータが存在すれば、閲覧回数１９１３をカウントアップし、閲覧時刻１９１４と閲覧位置１９１５を更新する。
【００５１】
表示された広告ページを見たユーザは、広告の店舗「○×屋」に行き、飲食提供のサービスを購入する（ステップＳ１２０）。
購入後、飲食代を支払うときに、広告ページの割引クーポン（図２：画面９１００参照）を使うことと引き換えに、携帯電話機１０００から、広告閲覧情報１９１０を店舗の情報受信装置２０００に送信する。
【００５２】
具体的には、ユーザが携帯電話機１０００を情報受信装置２０００の所定箇所にかざす、すなわち、携帯電話機１０００が情報受信装置２０００の一定距離内に入ると、情報受信装置２０００の無線通信部２４００から出されている微小な電磁波を、携帯電話機１０００の無線通信部１８００が受け、ＩＣチップが起動し、データ通信が可能となる。
データ通信が可能となったら、情報受信装置の制御部２１００は、自店舗の店舗コード「０１００」を送信する。
【００５３】
無線通信部１８００を介して店舗コード「０１００」を受取った携帯電話機１０００の制御部１１００は、広告閲覧情報記憶部１９００に記憶されている広告閲覧情報１９１０のうち、店舗コード１９１１が「０１００」の情報を抜き出し、情報受信装置２０００に送信する（ステップＳ１３０、図３：点線１８１０参照）。この際、送信した広告閲覧情報１９１０は広告閲覧情報記憶部１９００から削除する。
【００５４】
情報受信装置２０００は、広告閲覧情報１９１０を受信し（ステップＳ２１０）、来店情報記憶部２９００に保存する（ステップＳ２２０）。
また、情報受信装置２０００は、来店情報２９１０を作成し、来店情報記憶部２９００に保存する。
購入情報２９１５は、精算の際に自動的に入力され、来店時刻２９１４は、精算の際に店員等が顧客情報入力部２３００で入力するものとする。
【００５５】
情報受信装置２０００の制御部２１００は、送受信部２２００を介して、作成した広告閲覧情報１９１０と来店情報２９１０とを、広告掲載者３０の有する情報収集装置３０００に送信する。本実施形態の場合、インターネット４０を経由して、情報収集装置３０００に送信する（ステップＳ２３０）。
情報収集装置３０００の制御部３１００は、送受信部３２００を介して広告閲覧情報１９１０と来店情報２９１０とを受け取り、閲覧情報記憶部３９００に記憶する（ステップＳ３２０）。
【００５６】
情報収集装置３０００の制御部３１００は、店舗コードが同じ広告閲覧情報１９１０が一定数収集された段階で、解析情報３９２０を作成する。
例えば、店舗コード３９２１「０１００」で表される店舗の広告が最も多く閲覧された時間帯は、閲覧時間帯３９２２「１８：００〜２０：００」であり、その閲覧した場所は、閲覧エリア「３０２」で表されるエリアであり、ユーザあたり平均３回閲覧している（図６（ｂ）参照）。
【００５７】
これを基に、広告掲載者３０は、店舗コード３９２１「０１００」で表される店舗の広告は、閲覧時間帯３９２２「１８：００〜２０：００」に、閲覧エリア「３」で表されるエリアにある携帯電話機に集中して表示させることで、効果を上げることができると推測し、そのような表示を行うように基地局に指示をするなどの処理を行う。
一方、広告主である店舗２０は、来店情報記憶部２９００に記憶されている広告閲覧情報１９１０から、複数の自店舗の広告ＵＲＬのうち、どの店舗ＵＲＬ１９１２を見たユーザが多く来店しているかを知ることができ、広告掲載者３０の評価をすることができる。また、複数の広告掲載者３０に広告依頼をしている場合には、広告掲載者の選別をする材料とすることができる。
【００５８】
＜考察＞
すなわち、本システムは、実店舗での商品等の売り上げに対するインターネット広告の費用対効果を判断する際に役立つ情報を集める為のシステムといえる。
通常、売り上げに対する広告の費用対効果を調査する場合、アンケート等のサンプリング調査を行うが、これらの調査から求められる値の確かさの程度は、然程高いものではないと考えられ、また、その割には費用もかかる。
【００５９】
その点、本発明のシステムは、ユーザが実店舗で広告商品等を購入する際に、インターネット広告の閲覧に関する情報を収集するものであるため、調査の確かさの程度は格段に高くなる。
また、インターネット広告の閲覧に関する情報としては、閲覧履歴にとどまらず、閲覧時間、閲覧場所等さまざまな情報を収集することができ、それらの情報の分析結果を広告の行い方などにフィードバックすることで、広告の費用対効果を上げることに繋がる。
【００６０】
＜補足＞
以上、本発明に係る広告閲覧情報収集システムについて実施形態に基づいて説明したが、このシステムを部分的に変形することもでき、本発明は上述の実施形態に限られないことは勿論である。即ち、
（１）実施形態では、広告を飲食店の広告としているが、商品を販売する店舗でももちろんよく、店舗で商品を購入したときに広告閲覧情報を店舗側に送信することとしてもよい。
【００６１】
また、商品そのものの広告であってもよい。通常、商品の広告では、当該商品を購入できる店等の場所が記載されることが多いが、ユーザが購入できる場所を知っている場合などでは商品のみの広告であってもよい。
例えば、商品の製造業者のホームページでの商品そのものの広告である。その商品が家電製品であれば、その家電を購入できる場所が広告に記載されていなくても、ユーザは家電量販店等に行けば購入できることを知っているからである。
【００６２】
さらに、商品やサービスの広告だけでなく、展示会や博覧会等の広告であってもよく、広告を閲覧して来場するユーザから情報を収集することでもよい。
この場合は、例えば、展示解や博覧会の会場の出入口等に情報受信装置を設置しておき、来場者の携帯電話機などから、広告閲覧情報を受信する。
（２）実施形態では、ユーザは携帯電話機で広告を閲覧することとしているが、自宅やオフィスなどのパソコン等でもよい。
【００６３】
この場合は、例えば、広告閲覧情報はＩＣカード等の可搬性のある媒体に記憶させる。その後、店舗等にある情報受信装置がＩＣカード等から広告閲覧情報を読み取ることになる。
（３）実施形態では、広告閲覧情報を情報受信装置に渡す方法として非接触性ＩＣチップを使用しているが、他の方法で渡すこととしてもよい。
【００６４】
例えば、広告閲覧情報を携帯電話機のディスプレイにＱＲ（Quick Response）コード（登録商標）などで表示して、情報受信装置で表示されているＱＲコードを読み込むこととしてもよい。
この場合、ユーザ端末にはＱＲコードを表示できるディスプレイや、必要に応じて広告閲覧情報をＱＲコード化するプログラムなどを備えることが必要となる。一方、情報受信装置には、表示されたＱＲコードを読み込む撮像装置や、必要に応じてＱＲコードを復号するプログラムが必要となる。
【００６５】
また、赤外線やBluetooth等の近距離無線を使用してもよい。
さらに、ユーザの携帯電話機からメール等で、情報受信装置２０００や情報収集装置３０００に広告閲覧情報を送信することとしてもよい。
例えば、携帯電話機から広告閲覧情報をメールで送信し、情報受信装置が受信を確認すると割引してもらえるなどである。この場合、情報受信装置は、メール受信機能を備えている必要がある。
【００６６】
また、実施形態では、ユーザから受取った広告閲覧情報を、すぐに情報受信装置から情報収集装置に送信することとしているが、一定量がまとまった時点で送信したり、一定期間ごとにまとめて送信したりすることとしてもよい。
（４）実施形態では、広告閲覧情報として、最後に閲覧した時刻や場所等を集めることとしているが、これに限られない。
【００６７】
例えば、商品の広告であれば、どの検索サイトからはいって、どの競合商品のページを見ていたかなどの履歴を集めるなどである。
また、店舗位置（図５参照）や閲覧位置（図４参照）を「緯度経度」で表すこととしているが、これに限らず、例えば、「緯度経度高度」であってもよい。
さらに、閲覧場所は、「自宅」「電車の中」等であってもよく、この場合は、例えば、ユーザが場所を入力できる機能を携帯電話機が備えるなどする必要がある。
（５）実施形態では、割引クーポンを使用することと引き換えに、広告閲覧情報を店舗側に渡すこととしているが、情報を渡すインセンティブとしては、これに限られない。
【００６８】
インセンティブの例としては、例えば、ポイントがある。
広告閲覧情報を情報受信装置に送信すると、引き換えにポイント数を受信し、携帯電話機内で加算して記憶しておき、次回の購入時に、そのポイントに応じて割引が受けられるなどである。
また、インセンティブは無くてよい場合もある。
【００６９】
例えば、展示会場であれば、携帯電話機のモバイル・チケットを確認する際に、広告閲覧情報を取得する場合などである。
（６）実施形態では、実店舗と広告とを関連付ける方法として、店舗コードを用いているが、これに限られない。
例えば、割引券の番号、電子マネーで精算を行う場合にはそのキャッシュのＩＤなどで関連付けることとしてもよい。
【００７０】
また、広告掲載者が広告ページデータを携帯電話機に送信した段階で、携帯電話機と広告主とに同じＩＤを送信しておき、そのＩＤで関連付けることとしてもよい。
（７）実施形態では、ユーザ対して、割引などのインセンティブを与えているが、広告を見て実店舗に来店したと推定できる場合には、広告掲載者に対して、広告料を支払うなどのインセンティブを与えることとしてもよい。
【００７１】
例えば、情報収集装置で集められた広告閲覧情報から、ユーザが消費した金額の合計が行われ、その一定割合の金額を報酬として広告主から広告掲載業者に支払われるなどである。
この場合、例えば、広告閲覧情報に広告掲載業者を識別する情報を含み、情報受信装置で広告掲載者ごとに購入金額を合計する。
【００７２】
このことで、より効果のある広告掲載を行うために、広告掲載者の積極的な取り組みを促し、そのことが、よりユーザの購入を促することになり、よりよい循環が生まれることになる。
（８）実施形態では、広告閲覧情報が作成されるのは、ユーザが広告ページを見た時点であるが、その他のタイミングで作成することとしてもよい。
【００７３】
例えば、割引クーポンをダウンロードしたとき、店舗への地図をダウンロードしたとき、携帯電話機のＧＰＳ等とＬＢＳ（Location Based Services）と組合わせて、店舗までナビゲーションするときなどであってもよい。
これらは、広告閲覧情報作成の起因となると同時に、店舗にユーザを誘引するきっかけともなる。
（９）実施形態では、情報受信装置と情報収集装置とが広告閲覧情報を集めたり、分析等の処理を行うこととしているが、その一部の処理を他の処理装置で行わせることも可能である。
【００７４】
例えば、情報収集装置は広告閲覧情報を集めるだけであり、集まった情報の分析は、他のパソコンなどで行うなどである。
（１０）実施形態では、検索サイトにおいて検索結果とともに表示される広告を閲覧することとしているが、検索サイトを通じて表示される広告に限られない。
例えば、販売業者のホームページや個人のホームページ等で表示される広告であってもよい。
（１１）実施形態で示した携帯電話機等の各機能を実現させる為の各制御処理（図３等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【産業上の利用可能性】
【００７５】
インターネットでの告知が、ユーザの行動にどのように効果を及ぼしているのかを調査する技術として有用である。
【図面の簡単な説明】
【００７６】
【図１】広告閲覧情報収集システムの構成例を表す図である。図１（ａ）は、インターネット広告がユーザにより閲覧されている様子を示した図であり、図１（ｂ）は、店舗が収集した広告閲覧情報の流れを示した概略図である。
【図２】ユーザが閲覧するインターネット広告の例を示す図である。
【図３】携帯電話機、情報受信装置２０００および情報収集装置３０００の各構成を示す機能ブロック図である。
【図４】広告閲覧情報１９１０の内容例を示す図である。
【図５】来店情報２９１０の内容例を示す図である。
【図６】図６は、広告掲載者が作成する情報であり、図６（ａ）は、店舗情報３９１０の内容例を示す図であり、図６（ｂ）は、解析情報３９２０の内容例を示す図である。
【図７】携帯電話機で広告を見て店舗に来たユーザの広告閲覧情報が、店舗と広告掲載者に渡るまでの動作を表したフローチャートである。
【符号の説明】
【００７７】
１０    ユーザ
２０    店舗
３０    広告掲載者
４０    インターネット
１０００    携帯電話機
１１００  ２１００  ３１００    制御部
１２００  ２２００  ３２００  送受信部
１３００    マイク
１４００    スピーカ
１５００    ＧＰＳ
１６００    操作部
１７００    表示部
１８００  ２４００    無線通信部
１９００    広告閲覧情報記憶部
１９１０    広告閲覧情報
２０００    情報受信装置
２３００    顧客情報入力部
２９００    来店情報記憶部
２９１０    来店情報
３０００    情報収集装置
３９００    閲覧情報記憶部
３９１０    店舗情報
３９２０    解析情報
９０００    検索結果画面
９０１０    広告枠
９０２０    検索結果
９１００    広告画面
【図１】
2007164615.tif 000003
【図２】
2007164615.tif 000004
【図３】
2007164615.tif 000005
【図４】
2007164615.tif 000006
【図５】
2007164615.tif 000007
【図６】
2007164615.tif 000008
【図７】
2007164615.tif 000009